(57)【特許請求の範囲】
【請求項１】
粉体受入口から本体容器への粉体の受入、本体容器の密閉、本体容器の加圧、及び粉体の排出を繰り返し行う粉体気流搬送装置の粉体受入口を開閉する弁装置であって、弁本体を回動可能に軸支し、この弁本体を、粉体受入口を閉止する第１の位置と、粉体受入口を開放する第２の位置との間で回動させる弁装置において、
粉体気流搬送装置の弁装置内外の温度差による弁本体表面の結露を防止するよう、粉体受入口側に面する弁本体の表面を、当該弁本体との接合部が当該弁本体と互いに噛み合った複数の凹凸形状をなした断熱性のゴム材で形成したことを特徴とする弁装置。
【発明の詳細な説明】
【技術分野】
【０００１】
本発明は、粉体気流搬送装置等における粉体受入口を開閉する弁装置に関する。
【背景技術】
【０００２】
図２は、一般的な粉体気流搬送装置の構成を示す断面図である。この粉体気流搬送装置では、まず、集塵装置等の粉体供給側装置１からの粉体を粉体受入口２から本体容器３内に受け入れる。そして、規定量が貯留された時点で本体容器３を密閉状態にし、その後、圧縮空気配管４から本体容器３内に圧縮空気を導入し、その空気圧力を利用して粉体排出配管５より粉体を排出し、搬送する。
【０００３】
このように、粉体気流搬送装置は、受入→密閉→加圧→搬送→受入→密閉→・・・を繰り返し行うもので、そのため、粉体受入口２には、これを開閉するための弁装置６が設けられている。より具体的に説明すると、粉体の受入時には、弁装置６を開にする前に、圧縮空気配管４の空気供給弁４ａ及び粉体排出配管５の粉体排出弁５ａを閉にし、粉体を粉体受入口２から本体容器３内に規定量になるまで受け入れる。この粉体量の設定は、本体容器３に設けたレベルスイッチ３ａ及びタイマーで行う。規定量が貯留された時点で、弁装置６を閉にするとともに圧縮空気配管４の空気供給弁４ａを開にし、本体容器３内に圧縮空気を導入して圧力スイッチ３ｂが作動するまで加圧する。圧力スイッチ３ｂが作動すると、粉体排出配管５の粉体排出弁５ａが開になり、粉体が搬送される。
【０００４】
従来、このような粉体気流搬送装置の粉体受入口に使用される弁装置として、特許文献１に開示されているものが知られている。図３は、この従来の弁装置を示す断面図で、（ａ）は閉止状態、（ｂ）は開放状態を示す。同図に示す弁装置６は、球殻の一部をなす金属製の弁本体６ａを有する。そして、この弁本体６ａを回動軸６ｂにて回動可能に軸支し、粉体受入口２を閉止する第１の位置（図３（ａ）の位置）と、粉体受入口２を開放する第２の位置（図３（ｂ）の位置）との間で回動させることで、粉体受入口２を開閉する。さらに、この弁装置６では、開閉動作の途中で弁本体６ａが粉体受入口２側のシール部７と擦れ合わないように、弁本体６ａとシール部７との間に約１ｍｍの隙間を持たせており、図３（ａ）に示す閉止状態では、ゴム製のシール部７にエアノズル８より圧縮空気を導入し、シール部７を膨張させることでシールを行うようにしている。
【０００５】
しかし、上述のような従来の弁装置では、金属製の弁本体６ａが常時、粉体供給装置１側の排ガス及び粉体にさらされた状態にあり、かつ粉体搬送時に圧縮空気配管４から導入される圧縮空気によって冷却されるため、弁本体６ａの表面に結露が発生する。その結果、弁本体６ａの表面に粉体が付着し固化するため、弁本体６ａの回動動作時に固化した粉体がシール部７と接触しシール部７が短期間で摩耗するという問題がある。
【特許文献１】英国特許出願公開第２２７９４２９号明細書
【発明の開示】
【発明が解決しようとする課題】
【０００６】
本発明が解決しようとする課題は、粉体受入口を開閉する弁本体の結露を防止し、弁本体の表面に粉体が付着固化しないようにすることにある。
【０００７】
他の課題は、弁本体の表面に粉体が付着固化した場合でも、その付着固化した粉体を除去可能にすることにある。
【課題を解決するための手段】
【０００８】
本発明は、粉体受入口から本体容器への粉体の受入、本体容器の密閉、本体容器の加圧、及び粉体の排出を繰り返し行う粉体気流搬送装置の粉体受入口を開閉する弁装置であって弁本体を回動可能に軸支し、この弁本体を、粉体受入口を閉止する第１の位置と、粉体受入口を開放する第２の位置との間で回動させる弁装置において、粉体気流搬送装置の弁装置内外の温度差による弁本体表面の結露を防止するよう、粉体受入口側に面する弁本体の表面を、当該弁本体との接合部が当該弁本体と互いに噛み合った複数の凹凸形状をなした断熱性のゴム材で形成したことを特徴とする。
【０００９】
また、弁本体の表面に粉体が付着固化した場合でも、その付着固化した粉体を除去するためにスクレーパを設け、このスクレーパによって、弁本体の表面に付着した粉体を弁本体が回動するときに掻き取るようにすることができる。
【発明の効果】
【００１０】
本発明によれば、弁本体の表面を断熱性のゴム材で形成したことで、弁本体の表面の結露を防止できる。その結果、弁本体と面するシール部等の長寿命化（摩擦防止）が図れ、機器の長期安定運転及び整備費用の削減に寄与できる。
【００１１】
さらに、弁本体の表面に付着した粉体を掻き取るスクレーパを設置することで、弁本体の表面に粉体が付着固化した場合でも、弁本体の開閉動作時に付着固化した粉体を除去することができる。その結果、シール部等のより一層の長寿命化（摩擦防止）が図れる。
【００１２】
したがって、従来、弁本体の結露のために気流搬送方式を採用できなかった機器においても気流搬送方式の採用が可能となり、搬送方式の選択肢が増え、建設時のコストダウンも可能となる。
【発明を実施するための最良の形態】
【００１３】
以下、本発明を図２で説明した粉体気流搬送装置の粉体受入口を開閉する弁装置に適用した実施例によって、本発明の実施の形態を説明する。
【００１４】
図１は、本発明の弁装置の実施例を示す断面図で、（ａ）は閉止状態、（ｂ）は開放状態を示す。同図に示す本発明の弁装置６の基本構成は、図３に示した従来の弁装置と同様であり、球殻の一部をなす弁本体６ａを有する。そして、この弁本体６ａを回動軸６ｂにて回動可能に軸支し、粉体受入口２を閉止する第１の位置（図１（ａ）の位置）と、粉体受入口２を開放する第２の位置（図１（ｂ）の位置）との間で回動させることで、粉体受入口２を開閉する。さらに、開閉動作の途中で弁本体６ａが粉体受入口２側のシール部７と擦れ合わないように、弁本体６ａとシール部７との間に約１ｍｍの隙間を持たせており、図１（ａ）に示す閉止状態では、ゴム製のシール部７にエアノズル８より圧縮空気を導入し、シール部７を膨張させることでシールを行うようにしている。
【００１５】
これに加えて、本発明の弁装置６では、弁本体６ａの表面を断熱性のゴム材６ａ−１で形成し、これによって、弁装置６内外の温度差による弁本体６ａ表面の結露を防止するようにしている。断熱性のゴム材６ａ−１としては、エチレンプロピレンゴム（ＥＰＤＭ）、バイトン等を排ガス性状により使用できる。
【００１６】
また、粉体受入口２の開口縁下端には弁本体６ａの表面（断熱性のゴム材６ａ−１）に丁度当接するか僅かに隙間を開けてスクレーパ９を設け、弁本体６ａの表面に粉体が付着固化した場合でも、スクレーパ９によって、弁本体６ａの表面に付着固化した粉体を弁本体６が回動するときに掻き取るようにしている。スクレーパ９は、ボルト１０によって固定された押え板１１によって、その突出量を調整可能に支持されている。
【産業上の利用可能性】
【００１７】
本発明は、粉体気流搬送装置のほか各種装置の粉体受入口に適用可能である。
【図面の簡単な説明】
【００１８】
【図１】本発明の弁装置の実施例を示す断面図で、（ａ）は閉止状態、（ｂ）は開放状態を示す。
【図２】一般的な粉体気流搬送装置の構成を示す断面図である。
【図３】従来の弁装置を示す断面図で、（ａ）は閉止状態、（ｂ）は開放状態を示す。
【符号の説明】
【００１９】
１  粉体供給側装置
２  粉体受入口
３  本体容器
３ａ  レベルスイッチ
３ｂ  圧力スイッチ
４  圧縮空気配管
４ａ  空気供給弁
５  粉体排出配管
５ａ  粉体排出弁
６  弁装置
６ａ  弁本体６ａ
６ａ−１  断熱性のゴム材
６ｂ  回動軸
７  シール部
８  エアノズル
９  スクレーパ
１０  ボルト
１１  押え板
【図１】
0004658720.tif 000002
【図２】
0004658720.tif 000003
【図３】
0004658720.tif 000004